(57)【要約】【課題】ノート型パソコン等の収納が容易かつ指詰め等の心配がない跳ね上げ式蓋ユニットを得る。【解決手段】机１の天板１ａの後部に配設された支持部材２ｂと、天板１ａと空間を隔てて配設された上天板２ａを有し、支持部材２ｂのヒンジ２ｃまわりに回動可能に支持されてなる蓋ユニット２とを備え、蓋ユニット２のヒンジ２ｃまわりの回動時に、上天板２ａの後端部と支持部材２ｂとの間隔が略一定となるように支持部材２ｂの後面から上面への形状を円弧形状Ｃに形成した。また、上天板２ａを支持部材２ｂのヒンジ２ｃまわりに回動させて立起させた状態で、上天板１の後端部と天板１ａとの間に一定の間隔Ｅを空けた。さらに、上天板２ａのヒンジ２ｃまわりの回動時の重力トルク補償用ばね２ｅを備えた。【選択図】        図２
2004321434.tif 000002
【特許請求の範囲】
【請求項１】
机の天板の後部に取り付け可能な支持部材と、
この支持部材のヒンジまわりに回動可能に支持されてなる上天板とを備え、
この上天板の前記ヒンジまわりの回動時に、該上天板の後端部と前記支持部材との間隔が略一定となるように前記支持部材の後面から上面への形状を円弧形状に形成したことを特徴とする跳ね上げ式蓋ユニット。
【請求項２】
前記上天板を前記ヒンジまわりに回動させて立起させた状態で、前記上天板の後端部と前記支持部材が取り付けられる机の天板との間に一定の間隔を空けることを特徴とする請求項１記載の跳ね上げ式蓋ユニット。
【請求項３】
前記蓋ユニットの上天板の前記ヒンジまわりの回動時の重力トルクを補償するためのばねを備えたことを特徴とする請求項１又は２記載の跳ね上げ式蓋ユニット。
【請求項４】
机の天板の後部に配設された支持部材と、
前記机の天板と空間を隔てて配設された上天板を有し、前記支持部材のヒンジまわりに回動可能に支持されてなる蓋ユニットとを備え、
この蓋ユニットの前記ヒンジまわりの回動時に、該蓋ユニットの上天板の後端部と前記支持部材との間隔が略一定となるように前記支持部材の後面から上面への形状を円弧形状に形成したことを特徴とする跳ね上げ式蓋ユニットを備えた机。
【発明の詳細な説明】
【０００１】
【発明の属する技術分野】
本発明は、跳ね上げ式蓋ユニット及び跳ね上げ式蓋ユニットを備えた机に関わり、更に詳しくは、ノート型パソコン及び資料等の収納が容易であると共に指詰め等の心配がない、跳ね上げ式蓋ユニット及び跳ね上げ式蓋ユニットを備えた机に関するものである。
【０００２】
【従来の技術】
従来の講義室用机等においてノート型パソコンを置いて使えるように空間を設ける構成として、天板を備えた蓋ユニットを跳ね上げ式とし、該蓋ユニットの下部の空間にノート型パソコンを収納しておき、ノート型パソコン使用時には前記蓋ユニットを跳ね上げ、ノート型パソコン不使用時には前記蓋ユニットの天板を使用するもの（例えば、特許文献１及び２参照。）がある。
【０００３】
【特許文献１】
意匠登録第１１３１８７８号公報（甲板を上げた状態を示す右側面図）
【特許文献２】
意匠登録第１０９４７１２号公報（使用状態を示す参考図）
【０００４】
【発明が解決しようとする課題】
以上のような従来の跳ね上げ式蓋ユニット及び跳ね上げ式蓋ユニットを備えた机においては、該蓋ユニットの開閉動作時に、該蓋ユニットの天板及び机の天板とにより指等が挟まれる場合があるという問題点があった。
【０００５】
本発明は、前記のような課題を解決するためになされたものであり、ノート型パソコン及び資料等の収納が容易であると共に指詰め等の心配がない、実用的な跳ね上げ式蓋ユニット及び跳ね上げ式蓋ユニットを備えた机を得ることを目的とする。
【０００６】
【課題を解決するための手段】
本発明に係る跳ね上げ式蓋ユニットは、机の天板の後部に取り付け可能な支持部材と、この支持部材のヒンジまわりに回動可能に支持されてなる上天板とを備え、この上天板の前記ヒンジまわりの回動時に、該上天板の後端部と前記支持部材との間隔が略一定となるように前記支持部材の後面から上面への形状を円弧形状に形成したものである。
【０００７】
ここで、前記上天板を前記ヒンジまわりに回動させて立起させた状態で、前記上天板の後端部と前記支持部材が取り付けられる机の天板との間に一定の間隔を空けると好ましい。
【０００８】
また、前記蓋ユニットの上天板の前記ヒンジまわりの回動時の重力トルクを補償するためのばねを備えるとさらに好ましい。
【０００９】
本発明に係る跳ね上げ式蓋ユニットを備えた机は、机の天板の後部に配設された支持部材と、前記机の天板と空間を隔てて配設された上天板を有し、前記支持部材のヒンジまわりに回動可能に支持されてなる蓋ユニットとを備え、この蓋ユニットの前記ヒンジまわりの回動時に、該蓋ユニットの上天板の後端部と前記支持部材との間隔が略一定となるように前記支持部材の後面から上面への形状を円弧形状に形成したものである。
【００１０】
【発明の実施の形態】
次に本発明の実施の形態を添付図面に基づき詳細に説明する。なお、以下において、椅子に座って机に向かった状態で、手前側を前、その反対側を後、左側を左、右側を右とする。
【００１１】
図１は、本発明の実施の形態に係る跳ね上げ式蓋ユニットを備えた机を示す側面図であり、例えば講義室用の机として並設した場合を示している。図１において、机１の天板１ａ上には、該天板１ａと空間を隔てて配設された上天板２ａを備えた跳ね上げ式蓋ユニット２が、机１の天板１ａの後部に配設された左右の支持部材２ｂ，２ｂにより取り付けられ、該支持部材２ｂ，２ｂのヒンジ２ｃ，２ｃまわりに上天板２ａが回動可能となるように構成されており、図中矢印Ａのように蓋ユニット２の上天板２ａを跳ね上げて立起させ、蓋ユニット２を開くことにより、椅子３に座った使用者が机１の天板１ａ上でノート型パソコン等を使用することができる。また、跳ね上げ式蓋ユニット２の前部には脚部２ｄが取り付けられており、跳ね上げ式蓋ユニット２の上天板２ａの使用時に上天板２ａを略水平に維持することができる。なお、支持部材２ｂ，２ｂの天板１ａへの取り付けは、タッピングねじ等により上側から行う。
【００１２】
図２及び図３は、跳ね上げ式蓋ユニット２の開閉動作の説明図である。図２中の矢印Ａが跳ね上げ式蓋ユニット２を開く動作、矢印Ｂが跳ね上げ式蓋ユニット２を閉じる動作を示している。左右の支持部材２ｂ，２ｂの後面から上面への形状は円弧状（図中Ｃ）に形成されていると共に、この円弧形状（図中Ｃ）の曲率半径の中心は上天板２ａの前記回動の中心（ヒンジ２ｃ，２ｃ）と略同一になっている。
【００１３】
したがって、例えば跳ね上げ式蓋ユニット２を閉じる場合に、図３中矢印Ｂのように跳ね上げ式蓋ユニット２の上天板２ａが回動しても、蓋ユニット２の上天板２ａと支持部材２ｂ，２ｂとの間隔が略一定（図３中Ｄ）に維持され、支持部材２ｂ，２ｂ上に指があった場合においても、天板２ａの内面が該指を該支持部材上を滑らせるように押し出すため、蓋ユニット２の閉動作中に上天板２ａと支持部材２ｂ，２ｂとの間に指が挟まれることはない。
【００１４】
さらに、蓋ユニット２の上天板２ａを跳ね上げて立起させた状態で、跳ね上げ式蓋ユニット２の上天板２ａの後端部と天板１ａ間には、一定の間隔（たとえば手の指の太さ以上である、約２０ｍｍ程度の間隔）が空くように構成されており（図２中Ｅ）、跳ね上げ式蓋ユニット２の上天板２ａの後端部と天板１ａとの間に指が挟まれることもない。
【００１５】
さらにまた、ヒンジ２ｃ，２ｃまわりには、蓋ユニット２の上天板２ａのヒンジ２ｃ，２ｃまわりの回動時の重力トルクを補償するためのねじりコイルばね２ｅ，２ｅが組み込まれており、蓋ユニット２の上天板２ａを跳ね上げて立起させた状態から、蓋ユニット２が急激に閉じることはないため、蓋ユニットの前部と机１の天板１ａとの間に指等が挟まれることを抑制することができる。また、蓋ユニットの前部と机１の天板１ａとの間に指等が挟まれたとしても、前記ねじりコイルばね２ｅ，２ｅによる重力トルク補償効果により、挟まれた指等に掛かる力が小さく抑えられているため怪我を防止することができる。
【００１６】
以上の説明においては、重力トルク補償用ばねとしてねじりコイルばね２ｅ，２ｅを使用する場合を説明したが、渦巻ばね又はトーションバー等を使用することもできる。
【００１７】
図４及び図５は、跳ね上げ式蓋ユニット２を閉じた状態を示す正面図及び平面図である。跳ね上げ式蓋ユニット２を閉じた状態においても、該蓋ユニット２の左側及び右側（図５中のＦ，Ｆ及び図２中のＦ）並びに前側（図４及び図５中のＧ）は開放しているため、該蓋ユニット２内への資料又は書類等の収納及び該蓋ユニット２内からの資料等の取り出しが容易である。また、ノート型パソコンのケーブル等の配線も容易である。なお、該蓋ユニット２の左側、右側及び前側のみならず後側を開放してもよい。
【００１８】
また、左右の支持部材２ｂ，２ｂは上天板２ａの後方に突出しており、支持部材２ｂ，２ｂの内包部が空間となっている。したがって、机１の天板１ａと跳ね上げ式蓋ユニット２間の空間の奥行きが広くなり、この広い空間を有効に活用することができる。例えば、ノート型パソコンや資料等以外に、立ち上がりコンセントや余長配線等も収納することができる。
【００１９】
また、前記のとおりヒンジ２ｃ，２ｃまわりに配設された重力トルク補償用のねじりコイルばね２ｅ，２ｅは、支持部材２ｂ，２ｂにより隠されているため（図３及び図４参照）、意匠面における配慮がなされていると共に、該ばね２ｅ，２ｅに指等が挟まれることもない。
【００２０】
さらに、本発明の実施の形態に係る跳ね上げ式蓋ユニット２は、前記のとおり該蓋ユニット２の左右の支持部材２ｂ，２ｂにヒンジ２ｃ，２ｃが形成され、これらのヒンジ２ｃ，２ｃにより跳ね上げ式蓋ユニット２の上天板２ａを回動可能に支持すると共に、ヒンジ２ｃ，２ｃまわりに重力トルク補償用のねじりコイルばね２ｅ，２ｅを組み込む簡素な構成であるため、前記作用効果を奏すると共に、コスト削減及び信頼性向上を実現することができる。
【００２１】
なお、本明細書における「机」には、いわゆるテーブルの概念も含むものである。
【００２２】
【発明の効果】
本発明に係る跳ね上げ式蓋ユニット及び跳ね上げ式蓋ユニットを備えた机は、机の天板の後部に取り付け可能な支持部材と、前記支持部材のヒンジまわりに回動可能に支持されてなる上天板とを備え、この上天板の前記ヒンジまわりの回動時に、該上天板の後端部と前記支持部材との間隔が略一定となるように前記支持部材の上面から後面への形状を円弧形状に形成したので、該蓋ユニットの開閉動作中における該上天板と前記支持部材との間の指詰めを防止することができるという効果を奏する。
【００２３】
また、前記上天板を前記ヒンジまわりに回動させて立起させた状態で、前記上天板の後端部と前記支持部材が取り付けられる机の天板との間に一定の間隔を空けたので、前記効果と共に、前記上天板の立起状態において、前記上天板の後端部と前記机の天板との間の指詰めを防止することができるという効果を奏する。
【００２４】
さらに、前記蓋ユニットの上天板の前記ヒンジまわりの回動時の重力トルクを補償するためのばねを備えたので、前記上天板の立起状態から前記蓋ユニットが急激に閉じることがない。したがって、前記効果と共に、前記蓋ユニットの前部と前記机の天板との間で指等が挟まれることを抑制することができると共に怪我を防止することができるという効果を奏する。
【図面の簡単な説明】
【図１】本発明の実施の形態に係る跳ね上げ式蓋ユニットを備えた机を示す側面図である。
【図２】跳ね上げ式蓋ユニットの開閉動作の説明図である。
【図３】跳ね上げ式蓋ユニットの開閉動作の説明図である。
【図４】跳ね上げ式蓋ユニットを閉じた状態を示す正面図である。
【図５】跳ね上げ式蓋ユニットを閉じた状態を示す平面図である。
【符号の説明】
１  机
１ａ  天板
２  跳ね上げ式蓋ユニット
２ａ  上天板
２ｂ  支持部材
２ｃ  ヒンジ
２ｄ  脚部
２ｅ  ねじりコイルばね
Ａ  跳ね上げ式蓋ユニット２を開く動作
Ｂ  跳ね上げ式蓋ユニット２を閉じる動作
Ｃ  支持部材２の後面から上面への円弧形状
Ｄ  蓋ユニット２の上天板２ａと支持部材２ｂとの間隔
Ｅ  蓋ユニット２開時における上天板２ａの後端部と天板１ａ間の間隔
Ｆ，Ｇ  跳ね上げ式蓋ユニット２と机１の天板１ａとの間の開放部
【図１】
2004321434.tif 000003
【図２】
2004321434.tif 000004
【図３】
2004321434.tif 000005
【図４】
2004321434.tif 000006
【図５】
2004321434.tif 000007